(57)【特許請求の範囲】
【請求項１】
水面下で地面を浚渫するためのカッターヘッド（１０）であって、
前記カッターヘッドは、中心軸の周りで回転可能な旋回体（１１）を含み、旋回体は、ベースリング（１３）と、それから少し離れて配置されたハブ（１４）とによって形成され、ベースリングとハブとの間には、掘削工具（２０）を備える複数の支持アーム（１５）が延在し、それら支持アーム（１５）間には通路開口部（１６）が存在して、浚渫された地面を排出し、
前記掘削工具（２０）が結合手段（１７）によって前記支持アーム（１５）に取り付けられ、前記カッターヘッドは少なくとも５０個の掘削工具を備え、前記掘削工具（２０）は少なくともそれらの外側自由端において軸対称であり、
前記掘削工具（２０）が、それらの回転対称軸の周りを自由に回転できるように前記支持アーム（１５）に配置され、
前記支持アーム（１５）が、前記カッターヘッド（１０）の回転方向に見てその先頭部分（１５ａ）に第１の一連の掘削工具（２０）を備え、および前記中心軸から外方を向いた部分（１５ｂ）に第２の一連の掘削工具（２０）を備えることを特徴とする、カッターヘッド（１０）。
【請求項２】
前記掘削工具（２０）が円錐状であることを特徴とする、請求項１に記載のカッターヘッド（１０）。
【請求項３】
前記円錐状掘削工具（２０）の上部の外側自由端における曲率半径が最大５０ｍｍであることを特徴とする、請求項１または２に記載のカッターヘッド（１０）。
【請求項４】
前記カッターヘッド（１０）が少なくとも１０個の支持アーム（１５）を含むことを特徴とする、請求項１〜３のいずれか一項に記載のカッターヘッド（１０）。
【請求項５】
支持アーム（１５）が少なくとも２０個の掘削工具（２０）を含むことを特徴とする、請求項１〜４のいずれか一項に記載のカッターヘッド（１０）。
【請求項６】
前記掘削工具（２０）が前記支持アーム（１５）に対して、前記地面を通る前記カッターヘッドの回転中に、前記掘削工具が地表面に実質的に垂直に当たるような向きにされることを特徴とする、請求項１〜５のいずれか一項に記載のカッターヘッド（１０）。
【請求項７】
同じ支持アーム（１５）上に前記第１の一連の掘削工具（２０）が前記第２の一連の掘削工具（２０）に対してずらして配置されていることを特徴とする、請求項１に記載のカッターヘッド（１０）。
【請求項８】
前記カッターヘッドの前記支持アーム（１５）がガイドを含み、そのガイド上に、前記結合手段（１７）および／または前記掘削工具（２０）が変位可能に装着されていることを特徴とする、請求項７に記載のカッターヘッド（１０）。
【請求項９】
一軸圧縮強度（ＵＣＳ）が少なくとも５０ＭＰａの地面を浚渫する方法であって、
スパッドポスト（１０１）によって地面に固定される船、請求項１〜８のいずれか一項に記載のカッターヘッド（１０）が先端に取り付けられたラダー（２）、および前記ラダーに沿って取り付けられ浚渫された地面を除去する吸引管（４）を含む、カッターサクション浚渫船（１）を用意し、
前記カッターヘッドを、前記ラダーおよび前記吸引管とともに、斜めの角度で地面に接触するまで水中に下げ、
前記カッターヘッドを回転し始め、
そして、前記カッターヘッドを、ウインチを使用して左舷から右舷へ交互にラダーを引っ張ることによって地面を引きずることを特徴とする浚渫方法。
【請求項１０】
請求項１〜８のいずれか一項に記載のカッターヘッド（１０）を備えるカッターサクション浚渫船（１）。
【発明の詳細な説明】
【技術分野】
【０００１】
本発明は、水面下で地面を浚渫するためのカッターヘッドに関し、このカッターヘッドは、カッターサクション浚渫船のラダーへの取り付け、および横方向の掃引運動でのラダーによる地面の移動に好適である。本発明はまた、そのようなカッターヘッドを備えるカッターサクション浚渫船、および地面、特に比較的固い地面を浚渫する方法に関する。
【背景技術】
【０００２】
前段で説明したタイプのカッターヘッドは、例えばＮＬ１０３１２５３号明細書から知られている。公知のカッターヘッドは、中心軸の周りで回転可能な旋回体であり、旋回体は、ベースリングと、ベースリングから少し離れて同心円状に配置されたハブとによって形成され、ベースリングとハブとの間には、掘削工具を備える複数の支持アームが延在する。公知の掘削工具はビット様である、つまり、それらの外側自由端に平らな部分を含み、その端面で、定められた直線距離にわたって地面に接触することを意味する。良好な掘削動作のために、公知のカッターヘッドの回転中に掘削工具はまず地面と接触する必要がある。それゆえ、掘削工具は、カッターヘッドの回転方向で見ると支持アームの先頭部分に位置している。
【０００３】
カッターヘッドはカッターサクション浚渫船（カッター浚渫船とも称す）との組み合わせで適用される。カッターサクション浚渫船は、いわゆるスパッドポストによって地面に固定された船を含む。この固定ゆえに、浚渫中に発生する反動力を地面に伝達しかつ吸収することができる。カッターサクション浚渫船のラダーには吸引管が取り付けられ、吸引管はカッターヘッドに接続され、それに沿って、浚渫された地面が除去される。浚渫中、カッターヘッドは回転し始め、ラダーと吸引管とが全体的に斜めの角度で水中に下げられて地面に接触する。カッターヘッドは、ウインチを使用して左舷から右舷へ交互にラダーを引っ張ることによって地面を引きずられる。カッターヘッドは、カッターヘッドの軸−ベースリングおよびハブの回転の中心を結ぶ線−の周りで回転するため、掘削工具の端面が、カッターヘッド、ラダーおよび吸引管の重みを受けて大きな力で地面に当たる。これによって生じた破片が、支持アーム間の通路開口部を経由して、吸引管によって吸い上げられて排出される。カッターサクション浚渫船を定められた距離にわたって一度に移動させ、かつ上述の掃引運動を繰り返すことによって地表面全体を浚渫できる。
【０００４】
米国特許第４３１９４１５Ａ号明細書には、カッター用のカッターヘッドが開示されている。カッターヘッドは、回転軸の周りを回転可能な旋回体を含み、旋回体は、ベースリングと、ベースリングから少し離れて配置されたハブとによって形成され、ベースリングとハブとの間には複数の支持アームが延在している。支持アームは切歯用の歯ホルダを備える。歯ホルダはＴ字状のプロファイルを有し、それにより、支持アームに解放可能に取り付けることができる。
【０００５】
国際公開第２００５／０３５８８４Ａ号パンフレットには、浚渫船のカッターヘッドから摩耗した歯を除去するための、および除去した歯を新しい歯と交換するためのロボットマニピュレータが説明されている。マニピュレータは浚渫船に設置されている。開示のカッターヘッドは、各々約８個の歯を有する約５個の支持アームを含む通常のタイプのものである。
【０００６】
ＧＢ−Ａ−２０３２４９２号明細書には、中心ハブを含み、そこに少なくとも１個の螺旋状のヘリカルウェブが装着されているカッターヘッドが開示されている。ウェブはカッタービットのアレイを備え、カッタービットのアレイはウェブに沿って離間しており、かつ使用時に同じウェブ上にある連続的なビットが前のビットよりも深く掘削するように突出している。
【０００７】
ＮＬ−Ａ−８１０４９６９号明細書には、各々約８個の歯が取り付けられた通常の量の５個の支持アームを含む、カッターサクション浚渫船用の従来のカッターヘッドが開示されている。
【０００８】
米国特許第４４７０２１０Ａ号明細書には、カッターヘッド用のアダプタが開示されている。アダプタは、切歯の最適な掘削角を調整できるように縦および横軸の周りで回転可能である。
【０００９】
米国特許第４９８６０１１Ａ号明細書には、断続的な可撓性要素を使用する、アダプタ中のカッティングツースのクランプ部分によってカッターヘッドの支持アームに取り付け得るカッター浚渫船用のカッティングツースが開示されている。
【００１０】
公知のカッターヘッドには、本出願に照らして一軸圧縮強度（ＵＣＳ）が少なくとも５０ＭＰａの地面であると定義された比較的固い地面、例えば岩石を浚渫できないか、または限られた効率でしか浚渫できないかのいずれかであるという欠点がある。ＵＣＳは当業者に公知の概念であり、地盤の圧縮強度を示し、地盤の側壁は圧縮中支持されていない。効率は、本出願に照らして、単位時間および単位パワー当たり浚渫される地面の容積を意味すると理解される。
【発明の概要】
【発明が解決しようとする課題】
【００１１】
本発明の目的は、他の利点に加え、地表面をより効率的に浚渫でき、かつ公知のカッターヘッドと比べて効率性を高めて、特に比較的固いタイプの地面を浚渫可能にする、カッターサクション浚渫船用のカッターヘッドを提供することにある。
【課題を解決するための手段】
【００１２】
本発明によれば、この目的のために、中心軸の周りを回転可能な旋回体を含むカッターヘッドであって、旋回体は、ベースリングと、ベースリングから少し離れて配置されたハブとによって形成され、ベースリングとハブとの間には、掘削工具を備える複数の支持アームが延在し、カッターヘッドは少なくとも５０個の掘削工具を備え、掘削工具が少なくともそれらの外側自由端において、好ましくはそれらの全長に沿って軸対称であり、それにより、それらの縦軸の周りで自由に回転できるようになっている、カッターヘッドが提供される。とりわけカッターヘッドの支持アームに、土壌に接触する側において軸対称である掘削工具を設けることによって、比較的固い地面、特に例えば岩石などを、公知のカッターヘッドよりも高い効率で浚渫できることを見出した。掘削工具が軸対称であることは、地面、特に比較的固い地面の破壊に好ましい効果を有することを見出した。
【００１３】
公知の掘削工具は、それらの外側自由端においては比較的幅が広く、浚渫中に受ける大きな力に耐えることができる。カッターサクション浚渫船の水中の部品の重量は、結局のところ、掘削工具と地面との間の接触表面領域にわたって分配される。公知の掘削工具に比較的幅の広い外側自由端を与えることによって、この接触表面領域は比較的大きくなり、それにより、地面に伝達される力は、比較的大きな表面領域にわたって分配される。それゆえ、接触面にかかる平均圧力は限定されたままであり、それにより、掘削工具の破損が回避される。
【００１４】
本発明による掘削工具は少なくともそれらの外側自由端において軸対称であり、この部分で地面と接触するため、掘削工具は比較的小さい力でも地面に入り込む。さらに、地面に局所的に加えられる圧力は比較的高く、それにより、地面、特に比較的固い地面が効果的に破砕される。
【００１５】
米国特許第４４８８６０８Ａ号明細書には、乾いた岩石などを掘削するための回転式石切り用ヘッドであって、円錐状掘削工具を有し、その一部が硬化（炭化タングステン）インサートを含む石切り用ヘッドが説明されていることを述べる。インサートを有する工具は、他のカッター工具に対して幾分奥よりの位置に配置されて、不規則な岩石表面と接触するときに早期に破損するのを回避している。
【００１６】
ＤＥ １０ ２００５ ０５１４５０Ａ１号明細書には、ある場合においてはその回転対称軸の周りを自由に回転できる軸対称掘削工具が開示されている一方、米国特許第４５７５１５６Ａ号明細書は、採炭で使用する同様の軸対称掘削工具に関する。両文献とも、そのような工具を水中での浚渫に使用することは提案していない。
【００１７】
カッターヘッドの好ましい実施形態は、掘削工具は回転対称であり、一層好ましくは円錐状形態であるという特徴を有する。そのような幾何学的形状によって、公知の掘削工具で可能なものよりも高い平均圧力を地面に伝達することができる。本発明による掘削工具、特に好ましい円錐状の変形例の別の利点は、その形状ゆえに、公知の掘削工具よりも占める空間が小さいことである。これによって、多数の掘削工具を備えるカッターヘッドを提供することが可能となり、これがカッターヘッドの浚渫効率に有利であることを見出した。同じ理由から、カッターヘッドの支持アーム間に存在しかつ浚渫された地面を排出する通路開口部も同様に、公知のカッターヘッドの場合よりも小型にできる。これは、本発明による掘削工具があまり通路を妨げないためである。これによって、支持アーム数も増やすことができる。
【００１８】
本発明の別の好ましい実施形態によれば、掘削工具は、円錐状の上部に対して直径が小さくされた実質的にシリンダー状のシャンク部分を含む。この実施形態による掘削工具は、カッターヘッドのアームに設けられた結合手段にそのシリンダー状のシャンク部分があるようにして配置される。結合手段は好ましくは、中心孔のあるブロックソケットを含み、中心孔に、回転に備えてシリンダー状のシャンク部分を差し込む。この実施形態では、円錐状部分は、有効長にわたってブロックソケットの外側に突出し、有効長は、掘削工具の全長と比べて比較的短い。これは、従来技術の切歯よりもはるかに大きな力に耐えることができるという利点を有する。さらに、ブロックソケットは、掘削工具を曲げ変形に対して効果的に支持する。好ましい実施形態では、掘削工具は、１０〜５００ｍｍ、一層好ましくは２０〜２５０ｍｍ、および最も好ましくは５０〜１５０ｍｍの長さだけそのホルダの外側に突出する。
【００１９】
特に好ましい実施形態では、掘削工具は、その回転対称軸の周りを自由にまたは少なくとも容易に回転できるように、好ましくはそのソケットに配置される。これは、掘削工具が回転対称であるために可能となる。作業中に工具の自由なまたは容易な回転を可能にすることは、土壌との摩擦による、掘削工具の土壌に接触する先端の破損およびまた自生発刃の危険性を低減する。これによって、掘削工具の有用寿命は長くなり、かつ破損したまたは先の丸い掘削工具を頻繁に交換する必要がないため貴重な時間を節約できる。
【００２０】
掘削工具の円錐状部分は、好ましくは、外端に、土壌と接触する硬化先端を備える。先端は例えばカーバイド製とし得る。
【００２１】
別の好ましい実施形態では、本発明によるカッターヘッドは、円錐状掘削工具の上部の曲率半径が最大５００ｍｍ、一層好ましくは最大３５０ｍｍ、さらに一層好ましくは最大１００ｍｍ、および最も好ましくは最大５０ｍｍであることを特徴とする。さらに別の好ましい変形例は円錐状掘削工具を含み、その上部の曲率半径は、１〜１００ｍｍ、および一層好ましくは５〜８０ｍｍである。さらに別の好ましい変形例では、掘削工具は、円錐状の超硬合金インサートを収容するホルダを含む。
【００２２】
本発明によるカッターヘッドの好ましい実施形態は、カッターヘッドが少なくとも５個の支持アーム、一層好ましくは少なくとも１０個の支持アーム、および最も好ましくは少なくとも１５個の支持アームを含むという特徴を有する。カッターヘッドが、ベースリングとハブとの間に通路開口部を備えた旋回面を含むことも可能である。ここで、開口部間にある旋回面の部分はカッターヘッドの「支持アーム」を形成する。別のオプションは、カッターヘッドに、軸方向に延びる支持アームを設け、その上に、周囲方向に延びる横方向アームを装着することである。
【００２３】
掘削工具数は広い制限内で変えることができ、掘削工具数が可能な限り多数であることが有利である。好ましい実施形態では、本発明によるカッターヘッドは、少なくとも１００個の掘削工具、さらに一層好ましくは少なくとも１４０個の掘削工具、および最も好ましくは少なくとも１８０個の掘削工具を含む。ここで、掘削工具はカッターヘッドの旋回面にわたって規則的にも不規則にも分布できる。支持アーム当たりの掘削工具数は、好ましくは少なくとも１０個の掘削工具、一層好ましくは少なくとも１５個の掘削工具、一層好ましくは少なくとも２０個の掘削工具、および最も好ましくは少なくとも２５個の掘削工具である。
【００２４】
本発明によるカッターヘッドは、公知のカッターヘッドとは基本的に異なる方法で地面を掘削する。公知のカッターヘッドが大きな力で地面をたたいて大きな破片にするのに対して、本発明によるカッターヘッドは、地面を遙かに小さな断片に破壊する。より多数の掘削工具がカッターヘッドの回転方向にあるため、地面はより迅速に連続して掘削される。この作業は、特に固い地面でより効率性を高めることを見出した。
【００２５】
支持アームが、カッターヘッドの回転方向で見るときに先頭部分に第１の一連の掘削工具を含み、および少なくとも１個の支持アームが、中心軸から外方に向く部分に第２の一連の掘削工具を含むことが有利であることをさらに見出した。中心軸から外方に向く支持アームの部分に掘削工具を設けることは異例であるが、効率を高められる。意外にも、掘削工具の、中心軸から外方に向く支持アームの部分への接続は、特に固い地面、例えば岩石に当たる掘削工具によって生じる力を支持アームに伝達するのに十分に強固であることを見出した。従来技術によるものよりも、より多くの掘削工具をこのようにして単一の支持アームに配置することができる。これは、特に比較的固い地面の浚渫に利点をもたらす。
【００２６】
有利な実施形態では、支持アーム上の第１の一連の掘削工具は第２の一連の掘削工具に対してずれている。これは浚渫プロセスの効率をさらに高める。掘削工具がずれているため、掘削工具の作業領域が広くなる。これは、第２の一連の掘削工具が第１の一連の掘削工具によって妨害されないためである。
【００２７】
さらに別の実施形態では、支持アームはある長さを有し、掘削工具が、支持アームの長さの最大８０％に沿って支持アームの中心の両側に配置される。支持アームの外端付近に掘削工具がないことによるカッターヘッドの効率に対する悪影響は見出されていない一方、この措置によって、カッターの構成は単純になり、それゆえ安価となる。他方で、カッターヘッドのハブ付近に掘削工具があることは、カッターヘッドを前進させるのに有利である。
【００２８】
掘削工具は、特に、結合手段によって支持アームに接続される。これによって、摩耗または損傷の結果必要となり得る掘削工具の交換が容易にできるようになる。ここで、溶接接続を利用することなどによって結合手段自体を支持アームと一体的に接続することが有利である。
【００２９】
本発明によるカッターヘッドの好ましい実施形態では、カッターヘッドの支持アームは、結合手段および／または掘削工具が変位可能に装着されたガイドを備える。好適なガイドは、例えば結合手段および／または掘削工具が摺動できるガイドレールを含む。好ましい本変形例は、結合手段および／または掘削工具を容易に変位できるという利点を有する。それゆえ、掘削工具間の中間距離を、地面の特性、特に固さに依存して単純な方法で調整できる。
【００３０】
本発明はまた、一軸圧縮強度（ＵＣＳ）が５０〜２００ＭＰａ、好ましくは６０〜１５０ＭＰａおよび最も好ましくは８０〜１００ＭＰａの地面部分を掘削するための本発明によるカッターヘッドの使用にも関する。カッターヘッドの使用の利点に関しては、上記で既述の本発明によるカッターヘッドの利点を参照されたい。
【００３１】
本発明はまた、本発明によるカッターヘッドを備えるカッターサクション浚渫船にも関する。本発明によるカッターヘッドを備えるカッターサクション浚渫船では、地面、特に比較的固い地面、すなわちＵＣＳが５０ＭＰａ超の地面を、高い効率で浚渫できる。
【００３２】
本発明を以下、図面および好ましい実施形態の説明を参照して、本発明をそれらに限定することなく、さらに説明する。図面は必ずしも縮尺通りではない。
【図面の簡単な説明】
【００３３】
【図１】ラダーが取り付けられかつ本発明によるカッターヘッドを備えるカッターサクション浚渫船の部分の概略的な側面図である。
【図２】本発明によるカッターヘッドの斜視図である。
【図３】本発明による掘削工具の詳細な側面図である。
【図４】本発明の別の実施形態による掘削工具の詳細な側面図である。
【図５】本発明のさらに別の実施形態による掘削工具の詳細な側面図である。
【発明を実施するための形態】
【００３４】
図１は、ラダー２が水平軸３の周りで枢動可能に装着されているカッターサクション浚渫船１を示す。ラダー２は吸入管４を備え、吸入管は、地面の緩んだ部分を水面１００より上方のレベルまで吸い上げることができ、それらはその後排出される。ラダー２は、浚渫または破壊するために、カッターサクション浚渫船１の甲板に配置されるウインチ５によって地表面９上で引っ張られる。ウインチは、複数のスイングウインチ（図示せず）およびラダーウインチ８を備える。ラダー２はその外端に、本発明によるカッターヘッド１０を備える。カッターヘッド１０をラダーウインチケーブル８によって水中に下げ、使用中、カッターサクション浚渫船１の左舷から右舷へのおよびその反対の往復式掃引運動で地表面９上を移動させることができる。地表面上でここに生じる力を吸収できるようにするために、カッターサクション浚渫船１は、スパッドポスト１０１によって地面に固定される。図１では、左側（右舷）の固定されていない位置にあるスパッドポスト、および右側（左舷）の固定位置にあるスパッドポストを示す。
【００３５】
図２を参照すると、本発明によるカッターヘッド１０は、その回転軸１２の周りを駆動手段（図示せず）によって回転し始めることができる旋回体１１を含む。本書では、回転軸１２はカッターヘッド１０の中心軸と一致している。図示の実施形態では、旋回体１１は、船橋から見て時計回りの方向Ｒに回転し始める。ベースリング１３と、ベースリング１３から少し離れて配置されたハブ１４との間に螺旋状に支持アーム１５が延在し、これらの支持アーム１５はベースリング１３およびハブ１４に接続されている。ここでは支持アーム１５はアーチ状であり、凸側が回転方向Ｒに向いている。ベースリング１３、ハブ１４および支持アーム１５は実質的に鋼製である。これは、カッターヘッド１０を強固にするだけでなくカッターヘッド１０の重みを増し、それにより、浚渫中、カッターヘッド１０は重力の影響下で浚渫のために地面の方向に押し進められる。本書では、支持アーム１５はカッターヘッド１０の周囲に規則的に配置されている。支持アーム１５間には通路開口部１６が配置されている。カッターヘッド１０の回転方向に対して支持アーム１５の前縁１５ａには、支持アーム１５に第１の一連の掘削工具を結合するために、実質的に鋼製の結合手段１７が溶接されている。同様に実質的に鋼製である結合手段１７は、第２の一連の掘削工具２０を支持アーム１５に結合するために、カッターヘッド１０の中心軸から見て外方に向く支持アーム１５の縁１５ｂに溶接される。結合手段１７は、第１および第２の一連の掘削工具２０の前側または地面に当たる側が回転方向Ｒに向くような向きにされている。
【００３６】
図３を参照すると、掘削工具２０の実施形態が示されている。全長２７を備える図示の掘削工具２０は、直径２５の実質的にシリンダー状部分２２と円錐状の第２の部分２３とを含む。掘削工具２０は、例えばスナップ接続部２２０によって、カッターヘッド１の上述の結合手段１７にシリンダー状部分２２があるように配置できる。永久接続または他の形態の解除式接続も可能である。掘削工具２０が結合手段１７に配置される状況では、円錐状部分２３は、結合手段またはホルダ１７の外側に有効長２６にわたって突出する。掘削工具２０の円錐状部分２３は、土壌と接触する外端に硬化先端２８を備える。掘削工具２０の上部の適切な曲率半径は、いくつかある要因の中で特に地面の特性およびカッターヘッドの特別な設計に依存するが、好ましくは１〜１００ｍｍである。掘削工具２０の好適な全長２７は、好ましくは合計で２０〜４００ｍｍになる。好適な横断寸法２５は、好ましくは合計で１０〜１００ｍｍになる。好ましい実施形態では、掘削工具２０の、ホルダ１７の外側に突出する長さ２６は１０〜５００ｍｍ、一層好ましくは２０〜２５０ｍｍ、および最も好ましくは５０〜１５０ｍｍである。
【００３７】
図４および図５に示すように、掘削工具２０は好ましくは、中心孔１７０のあるブロックソケットの形態の結合手段１７によって支持アーム１５に結合され、その中心孔に、回転に備えて掘削工具２０のシリンダー状のシャンク部分２２が差し込まれる。図４の実施形態では、カーバイドの先端２８を備える円錐状部分２３が、掘削工具２０の全長と比べると比較的短い有効長にわたってブロックソケットから外側に突出する。ブロックソケット１７は、曲げ変形に対して掘削工具２０を支持し、掘削工具２０の軸方向１７１に大きな圧縮力を伝えられるようにする。掘削工具２０は、左側から中心孔１７０に、スナップ接続部２２０がソケット中の対応する環状溝２２１に係合するまで差し込まれる。係合状態では、掘削工具２０は回転対称であるため、掘削工具２０は中心孔１７０において軸１７１の周りを自由に回転できる。この回転は、シャンク部分２２の外面と中心孔１７０の内面との間、またはソケットの接触面と円錐状部分２３との間の摩擦力によって若干妨げられ得るが、本質的には自由に回転できる。
【００３８】
図５に示す別の実施形態は、スロット１７３を備える別個の保持リング１７２を使用し、それを圧縮することにより小型にできるようにする。（図４に示す実施形態にあるような）対応する環状溝２２１と係合したら、保持リングは膨張して、シャンク部分２２の外面を回転自在にする。掘削工具２０の軸方向１７１へのロッキングは、掘削工具２０の後部２２２を環状リング１７２に係合することによって達成される。
【００３９】
本発明のカッターヘッドは、比較的固い地面を破壊するのに特に好適であり、自生発刃であり、および耐用寿命が延びる。
【図１】
0005856053.tif 000002
【図２】
0005856053.tif 000003
【図３】
0005856053.tif 000004
【図４】
0005856053.tif 000005
【図５】
0005856053.tif 000006